(57)【要約】【課題】重度の汚れから軽度の汚れに至るまで、回転ブラシの選択により幅広く利用することができる、安全で取扱い容易な自動手洗装置を提供する。【解決手段】自動手洗装置１は、軸を水平方向に間隔を設けて配置された相互に逆回転する一対の回転ブラシ１２、１３と、回転ブラシ１２、１３を回転駆動するためのモータ１１と、回転ブラシ１２、１３に向けて洗剤を供給する洗剤供給部３０と、回転ブラシ１２、１３に向けて洗浄水を供給する洗剤供給部４０と、全体の動作を制御する制御部５０とから構成される。爪先を洗浄する第３の回転ブラシ１４をさらに設けてもよい。各回転ブラシ１２−１４は軸心の両端を相手側支持部に差し込んで軸支されており、一方の相手側支持部を回転ブラシ１２−１４の軸方向に取り外すことで、回転ブラシ１２−１４は容易に着脱交換可能に構成される。【選択図】図１
2012157422.tif 000002
【特許請求の範囲】
【請求項１】
差し出された手を自動的に洗浄する自動手洗装置であって、
軸を水平方向に向けて間隔を設けて平行に配置された、相互に逆回転する一対の回転ブラシと、
前記各回転ブラシを回転駆動するためのモータと、
前記回転ブラシの少なくともいずれか一方に向けて洗浄水を供給する洗剤供給部と、
全体の動作を制御する制御部とから構成され、
前記制御部の制御により、前記一対の回転ブラシの間に差し込まれた手を検出して当該手の甲と手のひらとを各々対応する回転ブラシにより自動で洗浄するよう構成された自動手洗装置。
【請求項２】
前記一対の回転ブラシの間に差し込まれた手の爪先の位置に、前記一対の回転ブラシの軸と平行に配置され、モータにより回転駆動される第３の回転ブラシをさらに含んでいる、請求項１に記載の自動手洗装置。
【請求項３】
前記回転ブラシの少なくともいずれか一つに向けて洗剤を供給する洗剤供給部をさらに設けている、請求項１又は請求項２に記載の自動手洗装置。
【請求項４】
前記モータが、前記各回転ブラシを個別に回転駆動する複数のモータからなること、
もしくは前記モータが単一のモータからなり、該単一のモータの回転駆動力を各回転ブラシに伝達する伝達機構をさらに備えていること、
のいずれかである、請求項１又は請求項２に記載の自動手洗装置。
【請求項５】
前記伝達機構が、ギア伝達、チェーン伝達、ベルト伝達のいずれかである、請求項４に記載の自動手洗装置。
【請求項６】
前記回転ブラシは、軸心の両端をそれぞれの支持部に差し込むことによって軸支され、
駆動側の支持部に対向する前記軸心の一端には雄型もしくは雌型の動力伝達形状が設けられ、
軸心の他端を支持する支持部は、回転ブラシの軸方向に取り外し可能に構成され、
当該他端を支持する支持部を取り外すことにより、前記回転ブラシを着脱可能に構成した、請求項１から請求項５のいずれか一に記載の自動手洗装置。
【請求項７】
洗剤を使用せず、洗浄水のみで洗浄する切り替えスイッチ、複数の洗剤のいずれかを選択する選択スイッチのいずれか一方もしくは双方をさらに備えている、請求項３から請求項５のいずれか一に記載の自動水洗装置。
【発明の詳細な説明】
【技術分野】
【０００１】
本発明は、人の手の汚れを非接触で自動的に洗い流すことができる自動手洗装置に関する。
【背景技術】
【０００２】
手作業した後などで汚れた手を洗う場合、その汚れたままの手で水栓などを操作することなく、自動的に洗浄できる装置があれば便利である。一般によく見られるのは自動水栓装置で、これは水洗場などで人が手を差し出すことによってセンサがその手を感知し、自動的に給水バルブを開いて手に水を流すよう構成されている。これは埃などが付いた程度の軽度に汚れた手を水のみで簡単に洗い流す場合には便利であるが、例えば油で汚れた手などを洗う場合にはこれでは不十分であり、別途石鹸や洗剤などを手で操作して洗い直す必要がある。特に、機械加工や機械修理などの作業をした後においては、爪の中まで油汚れが浸みこむことがあり、単なる自動水栓装置の導入だけでは不十分といえる。
【０００３】
このような重度な汚れに対応するため、従来技術においても自動手洗装置が提案されている（例えば、特許文献１参照。）。特許文献１に開示された自動手洗装置は、復帰ばねにより付勢され、モータの駆動力により同一方向に対向して回転する一対の筒状のブラシから構成されている。このブラシの間に手を差し込むことによって、ブラシの回転と上方から注がれる洗剤、水の作用で手を洗浄するものとされている。利用者は単にブラシの間に手を入れておくだけで、あとは機械が始動的に洗浄動作をする。しかしながら、従来技術で開示されたこのような装置にも未だ改善の余地があった。
【０００４】
まず、一対のブラシは、差し出された手を装置内へ引き込むか、あるいは外方向へ押し出すことのないよう、同一方向に回転するよう構成されている。すなわち、差し出した手の一方の面のブラシは手を装置内へ引き込む方向へ、他方の面のブラシは手を装置外へ押し出す方向にそれぞれ回転させ、これによってブラシにより手に作用する力の方向をバランスさせている。このため、どちらか一方のブラシは手をこすった後に手前側に向かって回転することになるため、この際にブラシに付着した水、洗剤を手前側に向かって飛散させるものとなる。特に開示された装置では筒状のブラシの回転軸が上下方向（縦方向）にセットされているため、利用者は手前側から前方へ手を縦に向けて差し出す形となり、飛散した滴類が利用者の正面に向かって直接振り注ぐという問題がある。さらに、一対のブラシが対向方向に付勢され、差し込まれた手の厚みに応じてブラシの間隔がばねの力で調整されるように構成されているため、例えば機械油で汚れた手などの重度の汚れの洗浄には好適であったとしても、食料品の取扱いなどの軽度の汚れを洗い流す場合などでは、ブラシによる手への圧迫とブラシによる洗浄負荷が強すぎる。特に女性が使用する場合などでは、この高い負荷によって手の肌が荒れるなどの不評点があり、上記のような重度の汚れ洗浄などの特定の目的以外には余り利用されないという問題があった。
【先行技術文献】
【特許文献】
【０００５】
【特許文献１】特開平１１−３２９３４号公報
【発明の概要】
【発明が解決しようとする課題】
【０００６】
以上より、本発明は上述の従来技術にある自動水栓装置、自動手洗装置の問題点を解消し、機械作業者などの重度の汚れはもとより、小児、女性、お年寄りなどによる軽度の汚れに至るまで洗浄効果を発揮し、これによって工場から学校、病院、各種介護施設などにおいて幅広く利用することができ、しかも安全で取扱い容易な自動手洗装置を提供することを目的としている。
【課題を解決するための手段】
【０００７】
本発明は、一対の回転ブラシを水平な軸で相互に逆方向に回転させ、また必要に応じて回転ブラシを容易に取り替え可能に構成することなどによって上述した問題を解消するもので、具体的には以下の内容を含む。
【０００８】
すなわち、本発明に係る１つの態様は、差し出された手を自動的に洗浄する自動手洗装置であって、軸を水平方向に向けて間隔を設けて平行に配置された相互に逆回転する一対の回転ブラシと、前記回転ブラシを回転駆動するためのモータと、前記回転ブラシに向けて洗剤を供給する洗剤供給部と、前記回転ブラシに向けて洗浄水を供給する洗剤供給部と、全体の動作を制御する制御部とから構成され、前記制御部の制御により、前記一対の回転ブラシの間に差し込まれた手を感知して当該手の甲と手のひらとを各々対応する回転ブラシにより自動で洗浄するよう構成された自動手洗装置に関する。なお、洗剤供給部はオプションとして扱い、洗浄水の供給のみにより自動手洗装置を構成することも可能である。
【０００９】
前記一対の回転ブラシの間に差し込まれた手の爪先の位置には、前記一対の回転ブラシの軸と平行に配置され、モータにより回転駆動される第３の回転ブラシをさらに含むことができる。
【００１０】
前記モータは、各回転ブラシを個別に回転駆動する複数のモータから構成することも可能であり、あるいは前記モータを単一のモータとして、該単一のモータの回転駆動力を各回転ブラシに伝達する伝達機構をさらに備えるようにしてもよい。当該伝達機構は、ギア伝達、チェーン伝達、ベルト伝達のいずれかとすることができる。
【００１１】
前記回転ブラシは、軸心の両端を相手側支持部に差し込むことによって軸支するよう構成し、駆動側の相手側支持部に対向する軸心の一端には雄型もしくは雌型の動力伝達形状を設け、軸心の他端を支持する相手側支持部は、回転ブラシの軸方向に取り外し可能に構成し、当該他端を支持する相手側支持部を取り外すことにより、前記回転ブラシを着脱可能に構成することができる。この際、駆動側となる相手側支持部には、回転ブラシに設けられた雄型もしくは雌型の動力伝達形状に対応した雌型もしくは雄型の動力伝達形状が設けられるものとなる。
【００１２】
上記自動手洗装置には、洗剤を使用せずに洗浄水のみを使用するための切り替えスイッチ、複数の洗剤のいずれかを選択する選択スイッチのいずれか一方もしくは双方をさらに備えてもよい。
【発明の効果】
【００１３】
本発明の実施により、工場のみならず、一般家庭、学校や病院、各種養護施設、さらには調理作業場等において、簡単な構造で使い勝手のよい自動手洗装置を提供できるものとなる。
【図面の簡単な説明】
【００１４】
【図１】本発明の実施の形態に係る自動手洗装置を示す、一部を切り欠いた斜視図である。
【図２】図１に示す自動手洗装置の手洗動作を示す説明図である。
【図３】図１に示す自動手洗装置に使用される回転ブラシの斜視図である。
【発明を実施するための形態】
【００１５】
本発明の実施の形態に係る自動水栓装置について、図面を参照して説明する。図１は本実施の形態に係る自動手洗装置１の全体斜視図で、図では内部構造が分かるようその一部を切り欠いて示している。図１において、自動手洗装置１は、手洗部１０と、洗剤供給部３０と、洗浄水供給部４０と、全体の動作を制御する制御部５０とから構成され、これら全体の構造が筐体２の内部にコンパクトに収納されている。筺体２は、上方に向けて開閉可能な蓋３を含み（表示目的のため図では半分開いている）、蓋３には開口４が設けられている。この開口４は、上方から利用者の両手が同時に差込み可能なように寸法採りがされている。自動水洗装置１は、図１では一部を切り欠いて示す仕切り板５によって図の左側（奥側）と右側（手前側）との２つの部分に水密状態で仕切られており、図の右側の洗浄区分における水分が左側の機械構成要素区分へ浸入することを防いでいる。
【００１６】
まず手洗部１０は、回転駆動用のモータ１１と、本実施の形態では第１、第２、第３の３本からなる回転ブラシ１２、１３、１４と、各回転ブラシに対応するギア１２ａ、１３ａ、１４ａと、モータ１１の回転を各ギア１２ａ、１３ａ、１４ａへ伝達するためのピニオンギア１６、およびアイドルギア１７とから構成されている。モータ１１の仕様には特に制約はないが、本実施の形態では安全のために必要かつ十分な駆動力が得られる２４ＶのＤＣモータを使用している。モータ１１の駆動軸にはピニオンギア１６が取り付けられ、ピニオンギア１６は第１の回転ブラシ１２のギア１２ａ、及びアイドルギア１７に噛合っている。アイドルギア１７は、残りの２つの回転ブラシ１３、１４の各ギア１３ａ、１４ａと噛合っている。モータ１１、及び他のギアの回転方向は、第１と第２の回転ブラシ１２、１３の間に差し込まれた手を装置内に引き入れる方向となるよう、図の矢印でそれぞれ示すように構成されている。なお、回転ブラシ１２、１３、１４の刷毛（ブラシ素材）部分は、図１では回転ブラシ１２の一部のみに表示し、あとは省略している。これに関しては後述する。
【００１７】
図２は、以上の構成にかかる手洗部１０の手洗動作時における概要を示している。人の手は蓋３に設けられた開口４を通って第１の回転ブラシ１２と第２の回転ブラシ１３との間に上方から差し込まれ、第３の回転ブラシに指先が触れる深さまで挿入される。第１と第２の回転ブラシ１２、１３の間に手が差し込まれると、センサ５１（図１参照）がこれを感知し、その信号を受けた制御部５０による制御でモータ１１が回転する。モータ１１の回転駆動力を受けて各回転ブラシ１２、１３、１４は、それぞれ図の矢印で示す方向に回転し、手を洗浄する。この際、第１の回転ブラシ１２は手の甲を、第２の回転ブラシ１３は手のひら（掌）を、第３の回転ブラシは爪先を効率よく洗浄するよう特化され、配置されている。このために各回転ブラシ１２、１３、１４は、それぞれを「手の甲洗浄ブラシ１２」、「手のひら洗浄ブラシ１３」、「爪先洗浄ブラシ１４」と呼ぶことができ、以下、そのように表示することがある。本願発明では、このように各回転ブラシ１２、１３、１４の洗浄部位が特化されることから、後述するような本願発明特有の効果を奏するものとなる。また、図２に示すように、手の甲洗浄ブラシ１２の方を手のひら洗浄ブラシ１３よりも水平方向にやや高めに配置し、利用者による手の差し入れが容易となるよう配慮している。
【００１８】
図２の各回転ブラシ１２、１３、１４にそれぞれ矢印で示されているように、手の甲洗浄ブラシ１２と手のひら洗浄ブラシ１３は相互に反対方向に回転し、図示の例では差し込まれた手を装置内に引き入れる方向にそれぞれ回転している。このようにすることで、手をこすった後の各回転ブラシが装置内に向けて撥ねるため、洗剤や水などが外部に飛び散ることが回避されて好ましい。ただし、必要に応じてモータ１１の回転を逆にすることで手を装置から押し出す方向に回転ブラシ１２、１３を回転させることも自由である。いずれの場合においても、回転ブラシ１２、１３の回転方向は相互に逆回転となる。回転ブラシ１２、１３が、手を引き入れる方向に回転することはあっても、特許文献１に示すように回転ブラシが手を両側から挟むようにばねで付勢されてはおらず、さらに適切な駆動力のＤＣモータを使用することで、実際に手が引き込まれるほどの駆動力はない。したがって、ここで言う「引き入れる方向」とは、単に回転の方向を示す表現でしかなく、実際に手を引き込むことを意味するものではない。それでも万一引き込まれそうな場合には、手のひらで洗浄ブラシ１３を強く握ることにより、その回転を容易に停止させることができる。
【００１９】
次に、爪先洗浄ブラシ１４は、図２において時計回りに回転しており、この際に指先を軽く曲げることで爪先に向かってブラシの先端が接近することになるため、爪の中の汚れなどを洗浄する効果を得ることができる。回転ブラシ１４への爪先の掛かり具合は、手の差し込み料や指の曲げ具合などによって利用者自身が自由に調整することができる。なお、必要に応じて回転ブラシ１４の回転方向を逆向きとし、指先を延ばした状態でブラシが爪先に向かってくるように構成することもできる。この際には、回転ブラシ１４のギア１４ａを図１に示すピニオンギア１６に直接噛合わせるか、あるいはアイドルギア１７とギア１４ａの間にもう１つアイドルギアを追加することで対応することができる。
【００２０】
図３は、回転ブラシ１２の一例を示している。他の回転ブラシ１３、１４についてもほぼ同様にすることができる。図に例示した回転ブラシ１２は、円筒シャフト２１と、円筒シャフト２１の外周に埋め込まれたブラシ素材２２とから構成されている。図では、ブラシ素材２２の一部を表示し、繰り返しとなるその他の部分は省略している。本実施の形態では、円筒シャフト２１にはデルリンを、ブラシ素材２２には外径０．２ｍｍ、長さ４０ｍｍのナイロンを使用している。ブラシ素材２２を数十本束ねて一箇所に埋め込み、この束を円筒シャフト２１の円周方向に６等分した位置で軸と平行に各一列となるよう放射状に配列してある。円周方向に隣接する束の列と列との間では、軸方向では交互に半ピッチずつ位置がずれて各束が千鳥状になるよう配置されている。軸方向における束間では約２５ｍｍ間隔での配置となっている。これに対向する側の手のひら洗浄ブラシ１３も同様に構成され、そして双方のブラシ素材２２の先端同士の間隔が+５ｍｍから−５ｍｍとなるよう両回転ブラシ１２、１３の軸心が調整されている。間隔がマイナスになるということは、双方のブラシ素材２２の先端が軌跡上では接触するものとなるが、上述したブラシ素材２２の束が千鳥状であり、かつ円周方向に６等分して配列されているため、両者の軸方向の位置と回転角度を調整することによって実際の接触は回避し得る。
【００２１】
円筒シャフト２１の両端は細くなっており、円筒シャフトの軸を形成している。その軸方向の少なくとも一端側には、回転駆動力を伝達可能な雄型部２４に形成されている。この雄型部２４を相手側となる駆動用のギア１２ａの中心に設けられた図示しない雌型部に差込み、軸心２３の他端を筐体２の壁にベアリングを介して支持された図示しない軸支部に設けられた穴に差し込むことによって両回転ブラシ１２、１３の相互回転角度位置が確定され、支持される。図３では雄型部２４を六角ヘッドとしているが、これはブラシ素材２３の円周方向６等分の配列に整合するために好適であるが、これには限定されず、他の多角形形状や、「☆」「＋」「−」等、動力伝達ができる形状であれば利用可能である。また、雄型部と雌型部を入れ替え、軸心２３の方を雌型部に、ギア１２ａ側を雄型部にすることもできる。
【００２２】
なお、上記の回転ブラシ１２の諸元は単なる一例であり、材料、長さ、ブラシ素材の配置等は所望される洗浄条件によって任意に設定することができる。また、各回転ブラシ１２、１３、１４は、筺体２の壁に設けた外側から取り外し可能の窓６（図１に表示）を開けることで駆動用のギアからの着脱が容易であり、使用用途に応じて取り替え可能に構成されている。上記の例では手の甲洗浄ブラシ１２と手のひら洗浄ブラシ１３とを仮に同一スペックとしているが、相対的に軟らかい肌である手の甲と、相対的に硬い肌である手のひらに合わせて、各ブラシ材料の硬さを適切に調整することができる。一般に材質が同じであれば、長さが短く、径が太く、束の密集度が高いほど硬いブラシとなる。本実施の形態に係る自動手洗装置１では、このように洗浄ブラシ１２、１３、１４が、それぞれ洗浄する人の手の部位が特定されているため、その手の部位に応じて最適なブラシを選択できる特徴を備えたものとなる。これは、例えば特許文献１に示すような縦に向けて左右の手を差し入れる形式の装置では得られない特有の効果を奏するものとなる。
【００２３】
また、上述した手の甲洗浄ブラシ１２と手のひら洗浄ブラシ１３との間隔も一例であって、手の甲と手のひらとを同時に洗浄する上で好ましい配置となるよう、回転ブラシ１２、１３の諸元に応じて異なるものとすることができる。また利用者自身も、例えば手のひら側の洗浄を強くしたい場合には手のひら洗浄ブラシ１３の側に手を押し付けることで対応が可能であり、したがって上記の間隔はあくまでも目安となるものでしかない。
【００２４】
爪先洗浄ブラシ１４の諸元については、爪の内部を洗浄するという目的からして硬めの材料とすることが望ましく、例えば外径が０．３ｍｍ、長さ２０ｍｍ位の太くて短いブラシ素材２２を選択することができる。また、爪先洗浄ブラシ１４は単独で配置されていることから、千鳥配置などすることなく、タワシ状に密集してブラシ素材２２を埋め込んだ形式とすることも自由である。なお、この爪先洗浄ブラシ１４をオプションとして扱い、手の甲洗浄ブラシ１２と手のひら洗浄ブラシ１３のみで自動手洗装置を構成することもまた自由である。
【００２５】
図１に戻って、自動手洗装置１の他の要素について説明する。まず、洗剤供給部３０は、洗剤タンク３１と、吐出管３２と、洗剤を圧送するポンプ３３と、その間をつなぐ配管３４とから構成される。洗剤タンク３１は筺体２に搭載されており、洗剤使用後には新たな洗剤を補充することができる。洗剤は、汚れの原因に応じて適切なものを選択可能である。例えば、油汚れに対してはエタノールや界面活性剤（例えばポリオキシエチレンラウリルエーテル）などを含んだ洗剤が好ましいが、特にはこれに限定されない。吐出管３２は、一対の回転ブラシ１２、１３に対向する位置で軸方向を相互に平行にして一対配置されている（表示都合により、図１では手前側の吐出管３２は一部のみを表示している）。吐出管３２には、軸方向に間隔を置いて適切な数（図示の例ではそれぞれ５箇所）の吐出口がそれぞれ対応する回転ブラシ１２、１３に向けて開口している。なお、洗剤供給部３０は油汚れの洗浄などにおいて特に有効ではあるが、汚れによっては洗剤が不要で洗浄水のみで洗浄が可能な場合もある。したがって洗剤供給部３０はオプションとして扱い、これを備えずに回転ブラシと洗浄水のみで洗浄するよう自動手洗装置を構成してもよい。
【００２６】
次に、洗浄水供給部４０は、水道などの水源に結ばれた給水管４１と、自動水栓装置４２と、本実施の形態では洗剤供給部３０との共通要素となる吐出管３２とから構成されている。自動水栓装置４２には、例えば後述する制御部５０の指令により開閉するソレノイドバルブなどが利用可能である。自動水栓装置４２が開になった状態で、給水管４１から流れる水が吐出管３２に導入され、上述した複数の吐出口から水が回転ブラシ１２、１３に向けて放出される。水道の代わりに温水源につないで温水を洗浄に使用することも自由である。
【００２７】
制御部５０は、センサ５１、図示しないタイマを含み、センサ５１からの検出信号を受けて手洗部１０、洗剤供給部３０、洗浄水供給部４０の動作のシーケンシャル制御を行う。センサ５１は、本実施の形態では蓋３に取り付けられた感知距離３００ｍｍのモーションセンサを使用しているが、センサを取り付ける位置、センサの仕様については目的に応じて選択可能である。
【００２８】
制御部５０における制御手順、並びに以上のように構成された本実施の形態に係る自動手洗装置１の動作は以下のようである。利用者が自動手洗装置１に対向し、両手（片手であってもよい）を筐体２の蓋３に開いた開口４から差し入れると、センサ５１がこれを感知して制御部５０に検出信号を送信する。制御部５０ではこれに応答してモータ１１を駆動し、３本の回転ブラシ１２、１３、１４を回転させる。同時に洗浄供給部３０のポンプ３３を駆動し、洗剤タンク３１から洗剤を吐出管３２に供給し、洗剤を回転ブラシ１２、１３に向けて吐出させる。この吐出時間は、予め制御部５０のタイマにセットされている。なお、吐出開始時には、吐出管３２内に先の洗浄動作時に使用された水が残留しているため、吐出当初にはこの水が吐出され、その後に洗剤が吐出されるものとなる。このため、手をこすりながら回転する回転ブラシ１２、１３には、ほどよく希釈された洗剤が供給されるものとなる。ただし、洗剤供給の前に洗浄水を吐出させるよう制御することも自由である。
【００２９】
この状態で予めセットされた時間、洗剤を使用して汚れ落としをした後、制御部５０は次に洗浄水供給部４０の自動水栓装置４２に指令を出してバルブを開き、給水管４１から吐出管３２に水を供給する。この際の水圧によって水が洗剤タンク３１に逆流することを防ぐため、配管３４内には図示しない逆止弁が設けられている。利用者は供給された水によって洗剤をすすいだ後、手洗が完了した適切なタイミングで手を引くと、センサ５１がこれを感知して制御部５０に検出信号を送信し、制御部５０は全ての動作を停止させて初期状態に戻る。この状態で、吐出管３２内には水のみが充填されていることになる。水の供給停止は、このように利用者が手を引く際に行うことによって可能であるが、必要に応じて予めタイマにセットされた時間経過時に自動的に停止させることも可能である。筺体２内に落ちた洗浄後の汚れた水は、下部に設けられた排出口７から最寄りの排水受入れ口に排出される。
【００３０】
一旦手を引いた利用者が、洗剤の残りが気になる場合には、再度自動手洗装置１内に手を差し込んで洗浄することも可能ではあるが、この際、再び洗剤が吐出されることになって不都合である。これを回避するため、筺体２には図示しない切り替えスイッチを設けることができ、「水洗」に切り換えることによって上記動作から洗剤吐出のステップを省略したサイクルを動作させてもよい。当然ながら、切り替えスイッチによる信号は制御部５０に送信され、上記の動作の内の洗剤吐出が除かれるよう制御される。あるいは、利用者が差し込んだ手のいずれか一方のみを引いて汚れや洗剤に落ち具合を確認し、他方の手を差し込んだままとして給水と回転ブラシ１２、１３、１４の回転を継続させることもできる。
【００３１】
以上、本発明に係る自動手洗装置の一実施の形態について説明してきたが、この装置に対してはさまざまな変更を加えることが可能である。上述したように、使用目的に応じてブラシの諸元は変更可能であり、爪先洗浄用ブラシ１４もオプション扱いとすることができる。上述した例では１つのモータを利用してギアを介して各回転ブラシを駆動しているが、駆動力伝達はチェーンやベルトを利用してもよく、あるいは各回転ブラシごとに個別にモータを取り付けることでもよい。洗浄液の種類は任意であるが、洗剤タンクを着脱可能にして異なる洗剤を入れた洗剤タンク入れ替え可能にするか、あるいは複数の洗剤タンクを筐体に取付けてスイッチでいずれかに切り換えるよう構成することもできる。また、上述した例では吐出管３２を洗剤用と洗浄水用とで共用としているが、それぞれ独立した吐出管を設けることでもよい。また、吐出管３２は、手の甲洗浄ブラシ１２側と手のひら洗浄ブラシ１３側のいずれか一方のみに設けるようにしてもよい。あるいは、爪先洗浄ブラシ１４に向けた吐出管３２をさらに追加して設けてもよい。
【産業上の利用可能性】
【００３２】
本発明に係る自動手洗装置は、工場や調理場、学校や介護関連の施設、一般家庭などにおいて有用であり、当該装置の製造、販売、利用を行う各産業分野において広く利用することができる。
【符号の説明】
【００３３】
１．自動手洗装置、  ２．筐体、  ３．蓋、  ４．開口、  ５．仕切り板、  ６．窓、  ７．排水口、  １０．手洗部、  １１．モータ、  １２．回転ブラシ（手の甲洗浄ブラシ）、  １３．回転ブラシ（手のひら洗浄ブラシ）、  １４．回転ブラシ（爪先洗浄ブラシ）、  １２ａ、１３ａ、１４ａ．ギア、  １６．ピニオンギア、  １７．アイドルギア、  ２１．円筒シャフト、  ２２．ブラシ素材、  ２３．軸心、  ３０．洗剤供給部、  ３１．洗剤タンク、  ３２．吐出管、  ３３．ポンプ、  ３４．配管、  ４０．洗浄水供給部、  ４１．供給管、  ４２．自動水栓装置、  ５０．制御部、  ５１．センサ。
【図１】
2012157422.tif 000003
【図２】
2012157422.tif 000004
【図３】
2012157422.tif 000005